(57)【要約】【課題】レジストリサーバとレポジトリサーバとを有するネットワークにおいて、高度なアクセス管理を実現すること。【解決手段】通信装置２２は、レジストリ検索応答（３）のＨＴＴＰヘッダに自らのＩＰアドレスをレジストリアクセス情報として挿入する。通信装置２１はレジストリ検索応答（２）からＵＲＩ、メタ情報、レジストリアクセス情報、レポジトリアクセス情報を取得する。また、通信装置２１は、コンテンツ取得要求（３）のＵＲＩに基づいてメタ情報、レジストリアクセス情報、レポジトリアクセス情報をコンテンツ取得要求（３）のＨＴＴＰヘッダに挿入する。通信装置２３は、コンテンツ取得要求（３）からメタ情報、レジストリアクセス情報、レポジトリアクセス情報を抽出してコンテンツ取得応答（４）の転送可否判断に使用する。【選択図】図１
2010238199.tif 000002
【特許請求の範囲】
【請求項１】
コンテンツデータに関する情報を提供する情報提供装置と、
前記コンテンツデータを提供する１または複数のコンテンツデータ提供装置と、
前記情報提供装置に対して前記コンテンツデータの位置情報を要求する位置情報要求を送信し、前記情報提供装置からの位置情報応答に示された前記位置情報に基づいて前記コンテンツデータ提供装置にコンテンツ取得要求を送信する情報処理装置と、
前記位置情報応答から前記コンテンツデータに関する情報を抽出し、前記コンテンツ取得要求に前記抽出した情報を挿入する第１の通信装置と
を備えたこと特徴とする通信システム。
【請求項２】
前記情報提供装置と前記第１の通信装置との間に介在する第２の通信装置を更に備え、前記第２の通信装置は前記情報提供装置から前記情報処理装置に送られた応答に前記第２の通信装置の位置情報を追加し、前記第１の通信装置は、前記情報提供装置が前記応答に挿入した情報と前記第２の通信装置が挿入した情報とを抽出することを特徴とする請求項１に記載の通信システム。
【請求項３】
情報提供装置に対してコンテンツデータの位置情報を要求する位置情報要求を送信し、前記情報提供装置からの位置情報応答に示された前記位置情報に基づいてコンテンツデータ提供装置にコンテンツ取得要求を送信する情報処理装置に接続される通信装置であって、
前記位置情報応答から前記コンテンツデータに関する情報を抽出する抽出部と、
前記抽出部が抽出した情報を前記コンテンツデータの位置情報に対応付けて管理する情報管理部と、
前記コンテンツ取得要求に示された前記コンテンツデータの位置情報をキーに前記情報管理部を検索し、検索結果として得られた情報を前記コンテンツ取得要求に挿入する挿入部と
を備えたこと特徴とする通信装置。
【請求項４】
情報提供装置に対してコンテンツデータの位置情報を要求する位置情報要求を送信し、前記情報提供装置からの位置情報応答に示された前記位置情報に基づいてコンテンツデータ提供装置にコンテンツ取得要求を送信する情報処理装置の通信を管理する通信管理方法であって、
前記位置情報応答から前記コンテンツデータに関する情報を抽出する抽出ステップと、
前記抽出ステップで抽出した情報を前記コンテンツデータの位置情報に対応付けるステップと、
前記コンテンツ取得要求に示された前記コンテンツデータの位置情報を読み出し、当該位置情報に対応づけられた情報を前記コンテンツ取得要求に挿入する挿入ステップと
を含んだこと特徴とする通信管理方法。
【発明の詳細な説明】
【技術分野】
【０００１】
本発明は、情報提供装置から取得した情報に基づいてコンテンツデータ提供装置にコンテンツデータを要求する通信システム、通信装置および通信管理方法に関する。
【背景技術】
【０００２】
従来、各種コンテンツデータをネットワーク経由で提供することが行なわれてきた。コンテンツデータの送信には、例えばＨＴＴＰ（Hypertext Transfer Protocol ）が用いられる。
【０００３】
また、コンテンツデータを提供するコンテンツデータ提供装置がネットワーク上に複数存在する場合などにはコンテンツデータの格納場所をレジストリサーバと呼ばれる一つのサーバで一括管理することが行なわれている。
【０００４】
かかる構成では、クライアント装置はまずこのレジストリサーバにアクセスして所望のコンテンツデータの位置情報を取得する。そしてクライアント装置は、取得した位置情報に基づき実際にコンテンツデータが格納されているコンテンツデータ提供装置にアクセスしてコンテンツデータを取得する。このようなコンテンツデータ提供装置は、レポジトリサーバと呼ばれる。
【０００５】
レジストリサーバは情報を一括管理するためにサービスが提供されるネットワーク内に１台である。一方、コンテンツデータは分散管理されるためレポジトリサーバは、ネットワーク内に複数台存在する。そのため、クライアント装置からレジストリサーバへのアクセスとクライアント装置からレポジトリサーバへのアクセスはネットワーク上の別経路を通ることになる。
【先行技術文献】
【特許文献】
【０００６】
【特許文献１】特開２００５−１４１５０７号公報
【発明の概要】
【発明が解決しようとする課題】
【０００７】
レジストリサーバは、コンテンツデータに関して位置情報以外にも様々なデータを持つことができる。例えば、医療情報の管理に適用し、カルテやＸ線写真などをコンテンツデータとした場合、レジストリサーバは、データ自体の格納場所を示す位置情報の他、患者名、診察者名、医療施設名、作成日時などのデータをコンテンツデータに関する情報として持つことができる。このようなデータに関する情報をメタ情報という。
【０００８】
メタ情報は、コンテンツデータに対するアクセスの可否を判定する条件として用いることができる。このようにメタ情報をアクセス管理に使用することでネットワークのセキュリティ向上が期待できる。
【０００９】
しかしながら、レジストリサーバがメタ情報を提供したとしても、クライアント装置がコンテンツデータの位置情報のみを選択的に使用してレポジトリサーバにアクセスする場合がある。このような場合において、レジストリサーバへのアクセス経路とレポジトリサーバへのアクセス経路が異なると、レポジトリサーバ側ではレジストリサーバが提供したメタ情報を参照できず、アクセス管理を行なうことができなかった。
【００１０】
また、レジストリサーバへのアクセス経路とレポジトリサーバへのアクセス経路が異なると、レジストリサーバへのアクセス情報やレポジトリサーバへのアクセス情報などはそれぞれ固有の情報として管理されていた。そのため、ネットワーク全体でアクセス情報を管理することができなった。
【００１１】
このように、従来の技術ではネットワーク内でメタ情報やアクセス情報を共有化できず、高度なアクセス管理を実現することが困難であった。
【００１２】
開示の技術は、上記に鑑みてなされたものであって、レジストリサーバとレポジトリサーバとを有するネットワークにおいて、メタ情報やアクセス情報を共有化し、高度なアクセス管理を実現する通信システム、通信装置および通信管理方法を提供することを目的とする。
【課題を解決するための手段】
【００１３】
本願の開示する通信システム、通信装置および通信管理方法は、情報提供装置に対してコンテンツデータの位置情報を要求する位置情報要求を送信し、情報提供装置からの位置情報応答に示された位置情報に基づいてコンテンツデータ提供装置にコンテンツ取得要求を送信する場合に、位置情報応答からコンテンツデータに関する情報を抽出し、コンテンツ取得要求に抽出した情報を挿入する。
【発明の効果】
【００１４】
本願の開示する通信システム、通信装置および通信管理方法によれば、レジストリサーバとレポジトリサーバとを有するネットワークにおいて、メタ情報やアクセス情報を共有化し、高度なアクセス管理を実現する通信システム、通信装置および通信管理方法を得ることができる。
【図面の簡単な説明】
【００１５】
【図１】図１は、実施例にかかる通信システムの概要構成を示す概要構成図である。
【図２】図２は、通信装置２１の構成について説明する構成図である。
【図３】図３は、データベース４５の具体例について説明する説明図である。
【図４】図４は、通信装置２２の構成について説明する構成図である。
【図５】図５は、通信装置２３の構成について説明する構成図である。
【図６】図６は、図１に示した通信システムの処理動作を説明するタイムチャートである。
【図７】図７は、送受信されるデータの構造について説明する説明図である。
【発明を実施するための形態】
【００１６】
以下に、本願の開示する通信システム、通信装置および通信管理方法の実施例を図面に基づいて詳細に説明する。なお、この実施例によりこの発明が限定されるものではない。
【実施例】
【００１７】
図１は、実施例にかかる通信システムの概要構成を示す概要構成図である。図１に示した通信システムでは、１つのレジストリサーバ１２と、１以上のレポジトリサーバ１３とクライアント１１とがネットワークを介して接続されている。ネットワークは例えばインターネットなどであり、ＴＣＰ／ＩＰ（Transmission Control Protocol/Internet Protocol）およびＨＴＴＰを用いて通信している。
【００１８】
レポジトリサーバ１３は、コンテンツデータ自体を提供するサーバである。レポジトリサーバ１３は、通信装置２３を介してネットワークに接続されている。
【００１９】
レジストリサーバ１２は、レポジトリサーバ１３が提供するコンテンツデータの位置情報とメタ情報を提供するサーバである。レジストリサーバ１２は、通信装置２２を介してネットワークに接続されている。コンテンツデータの位置情報は各コンテンツデータを格納するレポジトリサーバにアクセスするための情報である。また、メタ情報は、コンテンツデータの種別などコンテンツデータに関する情報である。例えば、本システムを医療情報の管理システムに適用し、カルテやＸ線写真などをコンテンツデータとした場合、レジストリサーバ１２のメタ情報は、患者名、診察者名、医療施設名、作成日時などのデータを持つ。
【００２０】
クライアント１１は、コンテンツデータを取得する情報処理装置であり、通信装置２１を介してネットワークに接続されている。クライアント１１がコンテンツデータを取得する場合、クライアント１１は所望のコンテンツについてのレジストリ検索要求（１）をレジストリサーバ１２に送信する。このレジストリ検索要求（１）は、通信装置２１と通信装置２２を経由してレジストリサーバ１２に受信される。
【００２１】
レジストリ検索要求を受信したレジストリサーバ１２は、レジストリの検索を実行し、検索結果として得られたコンテンツデータの位置情報とメタ情報をレジストリ検索応答（２）としてクライアント１１に送信する。レジストリ検索応答は、通信装置２２と通信装置２１とを介してクライアント１１に受信される。
【００２２】
レジストリ検索応答（２）を受信したクライアント１１は、レジストリ検索応答（２）からコンテンツデータの位置情報を読み出し、位置情報に示されたレポジトリサーバ１３にコンテンツ取得要求（３）を送信する。コンテンツ取得要求（３）は、通信装置２１と通信装置２３とを介してレポジトリサーバ１３に受信される。
【００２３】
コンテンツ取得要求（３）を受信したレポジトリサーバ１３は、要求されたコンテンツデータをコンテンツ取得応答（４）としてクライアント１１に送信する。コンテンツデータ取得応答（４）は、通信装置２３と通信装置２１とを介してクライアント１１に受信される。
【００２４】
通信装置２２は、レジストリサーバ１２とネットワークとの間に介在してデータの中継を行なう装置であり、その内部に情報挿入部４２を有する。通信装置２２において、情報挿入部４２は、レジストリ検索応答（２）のＨＴＴＰヘッダにレジストリアクセス情報を挿入する。レジストリアクセス情報は、クライアントがレジストリサーバにアクセスするのにどの通信装置を経由したかを示す情報であり、通信装置２２の情報挿入部４２は、通信装置２２のＩＰアドレスを挿入する。
【００２５】
通信装置２１は、クライアント１１とネットワークとの間に介在してデータの中継を行なう装置であり、その内部に情報抽出部４１、情報挿入部４２および通信履歴報告部４３を有する。
【００２６】
通信装置２１において情報抽出部４１は、レジストリ検索応答（２）から情報を抽出する処理を行なう。情報抽出部４１は、レジストリ検索応答（２）のデータ部からコンテンツデータの位置情報とメタ情報を読み出す。また情報抽出部４１は、レジストリ検索応答（２）のＨＴＴＰヘッダ部からレジストリアクセス情報を読み出す。情報抽出部４１は、読み出したメタ情報とレジストリアクセス情報をコンテンツデータの位置情報に関連付けて管理する。この際、レジストリアクセス情報には、通信装置２１のＩＰアドレスを追加する。
【００２７】
また、通信装置２１において情報挿入部４２は、コンテンツ取得要求（３）のＨＴＴＰヘッダ部に情報を挿入する処理を行なう。具体的には、通信装置２１において情報挿入部４２は、コンテンツ取得要求（３）からコンテンツデータの位置情報を読み出し、読み出した位置情報に関連付けられていたメタ情報とレジストリアクセス情報を挿入するさらに情報挿入部４２は、レポジトリアクセス情報として通信装置２１のＩＰアドレスを挿入する。レポジトリアクセス情報は、クライアントがレポジトリサーバにアクセスするのにどの通信装置を経由したかを示す情報である。
【００２８】
さらに、通信装置２１において通信履歴報告部４３は、レジストリアクセス情報とレポジトリアクセス情報を通信履歴通知（７）として通信履歴管理サーバ５１に送信する。
【００２９】
通信履歴管理サーバ５１は、受信したレジストリアクセス情報とレポジトリアクセス情報を通信履歴データ５１ａとして保持する。
【００３０】
通信装置２３は、レポジトリサーバ１３とネットワークとの間に介在してデータの中継を行なう装置であり、その内部に情報抽出部４１、通信履歴報告部４３および通信管理部４４を有する。
【００３１】
通信装置２３において情報抽出部４１は、コンテンツ取得要求（３）のＨＴＴＰヘッダ部からメタ情報、レジストリアクセス情報、レポジトリアクセス情報を抽出する処理を行なう。
【００３２】
また、通信装置２３において通信履歴報告部４３は、レジストリアクセス情報とレポジトリアクセス情報を通信履歴通知（８）として通信履歴管理サーバ５１に送信する処理を行なう。
【００３３】
通信履歴管理サーバ５１は、受信したレジストリアクセス情報とレポジトリアクセス情報を通信履歴データ５１ａとして保持する。
【００３４】
通信管理部４４は、メタ情報を用いてコンテンツデータの提供可否を判定する。具体的には、通信管理部４３はメタ情報やレジストリアクセス情報とレポジトリアクセス情報を提供可否判断要求（５）として通信規則管理サーバ５２に送信し、コンテンツデータの提供可否を問い合わせる。
【００３５】
通信規則管理サーバ５２は、受信した情報に基づいて通信規則データ５２ａを参照し、提供可否の判断を行なう。通信規則管理サーバ５２は、判断結果（６）を通信装置２３に送信する。
【００３６】
通信装置２３は、判断結果（６）としてコンテンツデータの提供不可が示されている場合、コンテンツ取得応答（４）を遮断し、コンテンツデータの提供許可が示されている場合にはコンテンツ取得応答（４）をクライアント１１に転送する。
【００３７】
このように、通信装置２１がレジストリ検索応答（２）からメタ情報やレジストリアクセス情報、レポジトリアクセス情報を取得し、コンテンツ取得要求（３）に挿入するので、通信装置２１〜２３は、メタ情報を共有することができる。
【００３８】
また、通信装置２１，２２が自らのＩＰアドレスをアクセス履歴としてＨＴＴＰヘッダに挿入し、通信装置２１，２３が通信履歴管理サーバ５１に通知することで、システム全体の通信履歴を管理することが可能となる。加えて、通信装置２３は、レポジトリサーバへのアクセスまでに経由した通信経路を取得することができる。
【００３９】
そのため、通信装置２３は、メタ情報やレジストリアクセス情報、レポジトリアクセス情報を用いて通信規則管理サーバ５２に問い合わせを行なうことができ、各種情報を利用した高度なアクセス管理を実現することができる。
【００４０】
図２は、通信装置２１の構成について説明する構成図である。図２に示したように通信装置２１は、ＩＰフォワーディング機能部６１、ＩＰフィルタ機能部６２、ＨＴＴＰプロキシ機能部６３、情報抽出部４１、情報挿入部４２、通信履歴報告部４３、データベース４５を有する。
【００４１】
ＩＰフォワーディング機能部６１は、ＩＰパケットを経路情報に従ってルーティングする処理部である。クライアント１１、レジストリサーバ１２、レポジトリサーバ１３の間で送受信される要求や応答は、分割されてＩＰパケットとして送られる。ＩＰフォワーディング機能部６１はこのＩＰパケットのレイヤで通信を制御する。
【００４２】
また、ＩＰフィルタ機能部６２は、通信装置２１において上位のアプリケーションに渡すべきＩＰパケットを識別して取得する処理部である。ＨＴＴＰプロキシ機能部６３は、ＩＰフィルタ機能部６２に対して上位のアプリケーションであり、ＩＰフィルタ機能部６２から渡されたＩＰパケットを結合して元の要求や応答に復元する処理を行なう。また、ＨＴＴＰプロキシ機能部６３は、要求や応答を分割してＩＰパケットとし、ＩＰフォワーディング機能部６１に渡す処理を行なう。
【００４３】
情報抽出部４１は、ＨＴＴＰプロキシ機能部６３がレジストリ検索応答を復元した場合に、復元されたレジストリ検索応答からコンテンツデータの位置情報、メタ情報、レジストリアクセス情報を抽出してデータベース４５に格納する。具体的には、情報抽出部４１は、コンテンツデータの位置情報にメタ情報とレジストリアクセス情報を関連付け、レジストリアクセス情報に通信装置２１のＩＰアドレスを追加して格納する。
【００４４】
情報挿入部４２は、ＨＴＴＰプロキシ機能部６３がコンテンツ取得要求を復元した場合に、復元されたコンテンツ取得要求のＨＴＴＰヘッダ部にメタ情報、レジストアクセス情報、レポジトリアクセス情報を挿入する。具体的には、情報挿入部４２は、コンテンツ取得要求のデータ部からコンテンツデータの位置情報であるＵＲＩ（Uniform Resource Identifier）を読み出し、読み出したＵＲＩをキーにデータベース４５を検索する。情報抽出部４１は、検索結果として得られたメタ情報とレジストリアクセス情報に加え、通信装置２１のＩＰアドレスをレポジトリアクセス情報として追加してコンテンツ取得要求のＨＴＴＰヘッダ部に挿入する。ＨＴＴＰプロキシ機能部５３は、情報挿入部４２によって情報が挿入されたコンテンツ取得要求をＩＰパケットに分割してＩＰフォワーディング機能部６１に渡す。
【００４５】
通信履歴報告部４３は、レジストリアクセス情報やレポジトリアクセス情報を通信履歴管理サーバ５１に送信する。送信のタイミングは、例えばコンテンツ取得要求を送信した場合であってもよいし、定期的に送信するようにしてもよい。また、コンテンツ取得要求の転送結果やＵＲＩ情報，転送時刻などの付加情報を合わせて送信してもよい。
【００４６】
データベース４５は、メタ情報、レジストリアクセス情報、レポジトリアクセス情報をＵＲＩに関連付けて格納する。図３は、データベース４５の具体例について説明する説明図である。メタ情報のうち、ｃｏｎｔｅｎｄｉｄは、コンテンツデータを特定する識別情報であり、ｃｏｎｔｅｎｔＴｙｐｅはコンテンツの種別を示す情報である。このほか、目メタ情報には任意の情報を含むことができる。レジストリアクセス情報は、クライアントがレポジトリサーバにアクセスするのに経由した通信装置のＩＰアドレスを示している。同様に、レポジトリアクセス情報は、クライアントがレポジトリサーバにアクセスするのに経由した通信装置のＩＰアドレスを示している。
【００４７】
図４は、通信装置２２の構成について説明する構成図である。図４に示したように通信装置２２は、ＩＰフォワーディング機能部６１、ＩＰフィルタ機能部６２、ＨＴＴＰプロキシ機能部６３および情報挿入部４２を有する。ＩＰフォワーディング機能部６１、ＩＰフィルタ機能部６２、ＨＴＴＰプロキシ機能部６３の機能は図２に示した通信装置２１と同様であるので説明を省略する。
【００４８】
情報挿入部４２は、ＨＴＴＰプロキシ機能部６３がレジストリ検索応答を復元した場合に、復元されたコンテンツ取得要求のＨＴＴＰヘッダ部にレジストアクセス情報として通信装置２２のＩＰアドレスを挿入する。ＨＴＴＰプロキシ機能部５３は、情報挿入部４２によって情報が挿入されたコンテンツ取得要求をＩＰパケットに分割してＩＰフォワーディング機能部６１に渡す。
【００４９】
図５は、通信装置２３の構成について説明する構成図である。図４に示したように通信装置２２は、ＩＰフォワーディング機能部６１、ＩＰフィルタ機能部６２、ＨＴＴＰプロキシ機能部６３、情報抽出部４１、通信履歴報告部４３および通信管理部４４を有するＩＰフォワーディング機能部６１、ＩＰフィルタ機能部６２、ＨＴＴＰプロキシ機能部６３の機能は図２に示した通信装置２１と同様であるので説明を省略する。
【００５０】
情報抽出部４１は、ＨＴＴＰプロキシ機能部６３がコンテンツ取得要求を復元した場合に、復元されたコンテンツ取得要求からコンテンツデータの位置情報、メタ情報、レジストリアクセス情報、レポジトリアクセス情報を抽出し、通信履歴報告部４３と通信管理部４４に送信する。
【００５１】
通信履歴報告部４３は、レジストリアクセス情報やレポジトリアクセス情報を通信履歴管理サーバ５１に送信する。送信のタイミングは、例えばコンテンツ取得要求を送信した場合であってもよいし、定期的に送信するようにしてもよい。また、コンテンツ取得要求の転送結果やＵＲＩ情報，転送時刻などの付加情報を合わせて送信してもよい。
【００５２】
通信管理部４４は、コンテンツを転送するパケットの転送可否を通信規則管理サーバ５２に問い合わせて判断し、判断結果をＨＴＴＰプロキシ機能部６３に渡す。ＨＴＴＰプロキシ機能部６３は、コンテンツ取得応答については転送を保留しており、転送許可との判断結果を渡された場合にはコンテンツ取得応答を転送し、転送不可との判断結果を渡された場合にはコンテンツ取得応答を破棄する。
【００５３】
図６は、図１に示した通信システムの処理動作を説明するタイムチャートである。まず、クライアント１１がレジストリ検索要求（１）を送信する。レジストリ検索要求（１）は通信装置２１と通信装置２２に順次転送され、レジストリサーバ１２に受信される。
【００５４】
レジストリサーバ１２は、レジストリ検索要求（１）に指定されたコンテンツデータのＵＲＩ情報とメタ情報をデータ部に格納したレジストリ検索応答（２）を作成して送信する。
【００５５】
通信装置２２は、自装置のＩＰアドレスをレジストリアクセス情報としてレジストリ検索応答（２）のＨＴＴＰヘッダ部に挿入して転送する。
【００５６】
通信装置２１は、レジストリ検索応答（２）からＵＲＩ、メタ情報、レジストリアクセス情報を抽出し、メタ情報とレジストリアクセス情報をＵＲＩに対応付けてデータベース４５に格納する。また、通信装置２１は、レジストリ検索応答（２）をクライアント１１に転送する。
【００５７】
クライアント１１はレジストリ検索応答（２）を受信すると、レジストリ検索応答（２）に示されたＵＲＩに対してコンテンツ取得要求（３）を送信する。
【００５８】
通信装置２１は、コンテンツ取得要求（３）が指定するＵＲＩをキーにデータベース４５を検索し、検索結果として得られたメタ情報、レジストリアクセス情報に加え、レポジトリアクセス情報をコンテンツ取得要求（３）のＨＴＴＰヘッダに挿入して転送する。
【００５９】
通信装置２３は、コンテンツ取得要求（３）をレポジトリサーバ１３に転送するとともに、コンテンツ取得要求（３）からＵＲＩ、メタ情報、レジストリアクセス情報、レポジトリアクセス情報を読み出して、コンテンツ取得応答の転送可否を判断する。
【００６０】
レポジトリサーバ１３は、コンテンツ取得要求（３）を受信すると、指定されたコンテンツデータをデータ部に格納したコンテンツ取得応答（４）を作成して送信する。
【００６１】
通信装置２３は、コンテンツ取得応答（４）について転送可否の判断結果に基づいて転送もしくは破棄する。
【００６２】
通信装置２３がココンテンツ取得応答（４）を転送した場合には、コンテンツ取得応答（４）は、通信装置２１を経由してクライアント１１に受信される。
【００６３】
図７は、送受信されるデータの構造について説明する説明図である。図７に示したようにレジストリ検索応答（２）は、データ部にメタ情報とＵＲＩを格納している。または通信装置２２を経由した時点で、ＨＴＴＰヘッダ部に通信装置２２のＩＰアドレスがレジストリアクセス情報として挿入される。
【００６４】
また、コンテンツ取得要求（３）は、ＨＴＴＰヘッダ部にレジストリアクセス情報、レポジトリアクセス情報、メタ情報を格納している。なお、ＵＲＩは、宛先のＩＰアドレスとなっている。
【００６５】
以上説明してきたように、本実施例にかかる通信システムでは、通信装置２１がレジストリ検索応答（２）からメタ情報やレジストリアクセス情報、レポジトリアクセス情報を取得し、コンテンツ取得要求（３）に挿入する。また、通信装置２１，２２が自らのＩＰアドレスをＨＴＴＰヘッダに挿入することで経路情報を残す。そのため、通信装置２１〜２３は、メタ情報やアクセス情報を共有し、アクセス履歴の管理やセキュリティ管理など高度なアクセス管理を実現することができる。
【００６６】
また、メタ情報やアクセス情報のやり取りは、クライアントがコンテンツデータを取得するための通信を利用して行なわれるので、特別なシーケンスを必要とせず、通信装置２３において通信規則の選定や通信ログの作成に必要なメタ情報、レジストリアクセス情報、レポジトリアクセス情報を集結させることができ、これにより、通信装置２３においてレポジトリサーバからコンテンツを受けてから通信装置２１に転送するまでに発生する遅延を減少させることができる。
【００６７】
なお、本実施例は、発明を限定するものではなく、適宜変形して実施可能である。例えば、通信装置２１〜２３はプログラムとして他の装置に実行させることもできる。また、通信装置２１の機能をクライアント１１に持たせることもできる。
【００６８】
以上の各実施例を含む実施形態に関し、さらに以下の付記を開示する。
【００６９】
（付記１）コンテンツデータに関する情報を提供する情報提供装置と、
前記コンテンツデータを提供する１または複数のコンテンツデータ提供装置と、
前記情報提供装置に対して前記コンテンツデータの位置情報を要求する位置情報要求を送信し、前記情報提供装置からの位置情報応答に示された前記位置情報に基づいて前記コンテンツデータ提供装置にコンテンツ取得要求を送信する情報処理装置と、
前記位置情報応答から前記コンテンツデータに関する情報を抽出し、前記コンテンツ取得要求に前記抽出した情報を挿入する第１の通信装置と
を備えたこと特徴とする通信システム。
【００７０】
（付記２）前記第１の通信装置は、前記位置情報応答から抽出した情報を当該コンテンツデータの位置情報に対応付けて管理し、前記コンテンツ取得要求が指定する位置情報に基づいて挿入する情報を特定することを特徴とする付記１に記載の通信システム。
【００７１】
（付記３）前記情報提供装置と前記第１の通信装置との間に介在する第２の通信装置を更に備え、前記第２の通信装置は前記情報提供装置から前記情報処理装置に送られた応答に前記第２の通信装置の位置情報を追加し、前記第１の通信装置は、前記情報提供装置が前記応答に挿入した情報と前記第２の通信装置が挿入した情報とを抽出することを特徴とする付記１または２に記載の通信システム。
【００７２】
（付記４）前記第１の通信装置は、前記情報提供装置から前記情報処理装置に送られた応答から抽出した情報と、前記情報処理装置から前記コンテンツデータ提供装置に送られた要求に挿入する情報とのうち、少なくもと一方に前記第１の通信装置の位置情報を追加することを特徴とする付記１〜３のいずれか一つに記載の通信システム。
【００７３】
（付記５）前記コンテンツデータ提供装置と前記第１の通信装置との間に介在する第３の通信装置を更に備え、前記第３の通信装置は前記第１の通信装置が挿入した前記情報を抽出することを特徴とする付記１〜４のいずれか一つに記載の通信システム。
【００７４】
（付記６）前記第３の通信装置は、前記抽出した情報を用いて前記情報処理装置に対する前記コンテンツデータの提供可否を判定することを特徴とする付記５に記載の通信システム。
【００７５】
（付記７）前記第１の通信装置及び／又は前記第２の通信装置は、通信のヘッダ部分に前記情報を挿入することを特徴とする付記１〜６のいずれか一つに記載の通信システム。
【００７６】
（付記８）情報提供装置に対してコンテンツデータの位置情報を要求する位置情報要求を送信し、前記情報提供装置からの位置情報応答に示された前記位置情報に基づいてコンテンツデータ提供装置にコンテンツ取得要求を送信する情報処理装置に接続される通信装置であって、
前記位置情報応答から前記コンテンツデータに関する情報を抽出する抽出部と、
前記抽出部が抽出した情報を前記コンテンツデータの位置情報に対応付けて管理する情報管理部と、
前記コンテンツ取得要求に示された前記コンテンツデータの位置情報をキーに前記情報管理部を検索し、検索結果として得られた情報を前記コンテンツ取得要求に挿入する挿入部と
を備えたこと特徴とする通信装置。
【００７７】
（付記９）情報提供装置に対してコンテンツデータの位置情報を要求する位置情報要求を送信し、前記情報提供装置からの位置情報応答に示された前記位置情報に基づいてコンテンツデータ提供装置にコンテンツ取得要求を送信する情報処理装置の通信を管理する通信管理方法であって、
前記位置情報応答から前記コンテンツデータに関する情報を抽出する抽出ステップと、
前記抽出ステップで抽出した情報を前記コンテンツデータの位置情報に対応付けるステップと、
前記コンテンツ取得要求に示された前記コンテンツデータの位置情報を読み出し、当該位置情報に対応づけられた情報を前記コンテンツ取得要求に挿入する挿入ステップと
を含んだこと特徴とする通信管理方法。
【００７８】
（付記１０）情報提供装置に対してコンテンツデータの位置情報を要求する位置情報要求を送信し、前記情報提供装置からの位置情報応答に示された前記位置情報に基づいてコンテンツデータ提供装置にコンテンツ取得要求を送信する情報処理装置の通信を管理する通信管理プログラムであって、
前記位置情報応答から前記コンテンツデータに関する情報を抽出する抽出手順と、
前記抽出手順で抽出した情報を前記コンテンツデータの位置情報に対応付ける手順と、
前記コンテンツ取得要求に示された前記コンテンツデータの位置情報を読み出し、当該位置情報に対応づけられた情報を前記コンテンツ取得要求に挿入する挿入手順と
を含んだこと特徴とする通信管理プログラム。
【符号の説明】
【００７９】
１１  クライアント
１２  レジストリサーバ
１３  レポジトリサーバ
２１〜２３  通信装置
４１  情報抽出部
４２  情報挿入部
４３  通信履歴報告部
４４  通信履歴報告部
４５  データベース
５１  通信履歴管理サーバ
５１ａ  通信履歴データ
５２  通信規則管理サーバ
５２ａ  通信規則データ
６１  ＩＰフォワーディング機能部
６２  ＩＰフィルタ機能部
６３  ＨＴＴＰプロキシ機能部
【図１】
2010238199.tif 000003
【図２】
2010238199.tif 000004
【図３】
2010238199.tif 000005
【図４】
2010238199.tif 000006
【図５】
2010238199.tif 000007
【図６】
2010238199.tif 000008
【図７】
2010238199.tif 000009